(57)【要約】【課題】本発明は、ブルーライトがユーザの生体リズムに与える影響を低減し、映像コンテンツの表示品位が不要に低下することを防ぐことが可能な映像表示装置、映像表示方法、および映像表示プログラムを提供することを目的とする。【解決手段】本発明による映像表示装置１は、生体リズム情報を取得する通信部６と、通信部６が取得した生体リズム情報を解析する生体リズム情報解析部８２と、映像コンテンツの色情報を取得する色情報取得部４１と、色情報取得部４１が取得した色情報を解析する色情報解析部８１と、生体リズム情報解析部８２が解析した生体リズム情報の解析結果と、色情報解析部８１が解析した色情報の解析結果とに基づいて、映像コンテンツの画質を調整する指標となる画質調整値を算出する画質調整値算出部８３と、画質調整値算出部８３が算出した画質調整値に基づいて、映像コンテンツの画質を調整する画質調整部４２とを備える。【選択図】図２
2019114931.tif 000002
【特許請求の範囲】
【請求項１】
ユーザの生体リズムを示す生体リズム情報を取得する生体リズム情報取得部と、
前記生体リズム情報取得部が取得した前記生体リズム情報を解析する生体リズム情報解析部と、
映像コンテンツの色情報を取得する色情報取得部と、
前記色情報取得部が取得した前記色情報を解析する色情報解析部と、
前記生体リズム情報解析部が解析した前記生体リズム情報の解析結果と、前記色情報解析部が解析した前記色情報の解析結果とに基づいて、前記映像コンテンツの画質を調整する指標となる画質調整値を算出する画質調整値算出部と、
前記画質調整値算出部が算出した前記画質調整値に基づいて、前記映像コンテンツの画質を調整する画質調整部と、
を備える、映像表示装置。
【請求項２】
前記生体リズム情報は、前記ユーザの睡眠に関する情報である睡眠情報を含み、
前記生体リズム情報解析部は、前記睡眠情報を解析することを特徴とする、請求項１に記載の映像表示装置。
【請求項３】
前記色情報は、前記映像コンテンツを表示する複数のサブピクセルの出力値を含み、
前記色情報解析部は、各サブピクセルの出力値に基づいて、前記映像コンテンツの色の傾向を解析することを特徴とする、請求項１または２に記載の映像表示装置。
【請求項４】
前記睡眠情報は、睡眠開始時刻を含み、
前記生体リズム情報解析部は、前記ユーザの過去の複数の前記睡眠開始時刻に基づいて、前記ユーザの平均睡眠開始時刻を算出することを特徴とする、請求項２に記載の映像表示装置。
【請求項５】
前記画質調整値算出部は、前記映像コンテンツを表示する際のブルーライトの放出量を調整する前記画質調整値を算出することを特徴とする、請求項１から４のいずれか１項に記載の映像表示装置。
【請求項６】
前記画質調整部は、前記画質調整値よりも小さくなるように前記ブルーライトの放出量を制限することを特徴とする、請求項５に記載の映像表示装置。
【請求項７】
（ａ）ユーザの生体リズムを示す生体リズム情報を取得する工程と、
（ｂ）前記工程（ａ）で取得した前記生体リズム情報を解析する工程と、
（ｃ）映像コンテンツの色情報を取得する工程と、
（ｄ）前記工程（ｃ）で取得した前記色情報を解析する工程と、
（ｅ）前記工程（ｂ）で解析した前記生体リズム情報の解析結果と、前記工程（ｄ）で解析した前記色情報の解析結果とに基づいて、前記映像コンテンツの画質を調整する指標となる画質調整値を算出する工程と、
（ｆ）前記工程（ｅ）で算出した前記画質調整値に基づいて、前記映像コンテンツの画質を調整する工程と、
を備える、映像表示方法。
【請求項８】
コンピュータを映像表示装置として機能させるための映像表示プログラムであって、
（ａ）ユーザの生体リズムを示す生体リズム情報を取得する手順と、
（ｂ）前記手順（ａ）で取得した前記生体リズム情報を解析する手順と、
（ｃ）映像コンテンツの色情報を取得する手順と、
（ｄ）前記手順（ｃ）で取得した前記色情報を解析する手順と、
（ｅ）前記手順（ｂ）で解析した前記生体リズム情報の解析結果と、前記手順（ｄ）で解析した前記色情報の解析結果とに基づいて、前記映像コンテンツの画質を調整する指標となる画質調整値を算出する手順と、
（ｆ）前記手順（ｅ）で算出した前記画質調整値に基づいて、前記映像コンテンツの画質を調整する手順と、
を前記コンピュータに実行させる、映像表示プログラム。
【発明の詳細な説明】
【技術分野】
【０００１】
本発明は、映像コンテンツを表示する映像表示装置、映像表示方法、および映像表示装置によって実行される映像表示プログラムに関する。
【背景技術】
【０００２】
パソコン、液晶テレビ、およびスマートフォンなどは、現代の暮らしの中で必需品となっているが、これらの表示画面から放出される波長４００ｎｍ〜５３０ｎｍの可視光であるブルーライトは、ユーザの生体リズムに影響を与える。特に、夜間にユーザが強いブルーライトを浴びると、睡眠前にユーザの体内に分泌されるホルモンが抑えられ、結果として睡眠の質が低下することが報告されている。
【０００３】
従来の映像表示装置では、ブルーライトがユーザの生体リズムに与える影響を低減させるために、映像表示装置の表示画面にブルーライトをカットする保護フィルムを貼り付ける技術（例えば、特許文献１参照）、ユーザの生体リズムを測定および評価した結果に基づいて映像表示装置に表示する映像の色温度を補正する技術（例えば、特許文献２参照）、または視聴環境に合わせて映像の色温度を補正する技術（例えば、特許文献３参照）が開示されている。
【先行技術文献】
【特許文献】
【０００４】
【特許文献１】実用新案登録第３１８９７７５号公報
【特許文献２】特開２００９−８２２６３号公報
【特許文献３】特開２０１１−７１６８０号公報
【発明の概要】
【発明が解決しようとする課題】
【０００５】
従来の映像表示装置は、ブルーライトをカットする、すなわちブルーライトがユーザの生体リズムに与える影響を低減することができる。一方、ユーザが活動している日中に十分なブルーライトを浴びなければ、生体リズムに影響を与えて睡眠の質が低下する可能性がある。
【０００６】
また、映像表示装置から放出されるブルーライトの放出量は、映像コンテンツに依存する。従って、ブルーライトの放出量が多い映像コンテンツに対してはブルーライトを大幅にカットする必要があるが、ブルーライトの放出量が少ない映像コンテンツに対してはブルーライトのカットが不要であるといえる。すなわち、従来の映像表示装置のように、ユーザの生体リズムまたは視聴環境に合わせて映像表示装置に表示する映像の色温度を補正することによってブルーライトの放出量を制御した場合、ブルーライトの放出量が少ない映像コンテンツに対してもブルーライトの放出量を制御するため、映像コンテンツの表示品位を不要に低下させることになる可能性がある。
【０００７】
このように、従来の映像表示装置では、ブルーライトがユーザの生体リズムに与える影響を低減することができるが、映像コンテンツの表示品位について考慮されていないため、映像コンテンツの表示品位を不要に低下させる可能性があった。
【０００８】
本発明は、このような問題を解決するためになされたものであり、ブルーライトがユーザの生体リズムに与える影響を低減し、映像コンテンツの表示品位が不要に低下することを防ぐことが可能な映像表示装置、映像表示方法、および映像表示プログラムを提供することを目的とする。
【課題を解決するための手段】
【０００９】
上記の課題を解決するために、本発明による映像表示装置は、ユーザの生体リズムを示す生体リズム情報を取得する生体リズム情報取得部と、生体リズム情報取得部が取得した生体リズム情報を解析する生体リズム情報解析部と、映像コンテンツの色情報を取得する色情報取得部と、色情報取得部が取得した色情報を解析する色情報解析部と、生体リズム情報解析部が解析した生体リズム情報の解析結果と、色情報解析部が解析した色情報の解析結果とに基づいて、映像コンテンツの画質を調整する指標となる画質調整値を算出する画質調整値算出部と、画質調整値算出部が算出した画質調整値に基づいて、映像コンテンツの画質を調整する画質調整部とを備える。
【００１０】
また、本発明による映像表示方法は、（ａ）ユーザの生体リズムを示す生体リズム情報を取得する工程と、（ｂ）工程（ａ）で取得した生体リズム情報を解析する工程と、（ｃ）映像コンテンツの色情報を取得する工程と、（ｄ）工程（ｃ）で取得した色情報を解析する工程と、（ｅ）工程（ｂ）で解析した生体リズム情報の解析結果と、工程（ｄ）で解析した色情報の解析結果とに基づいて、映像コンテンツの画質を調整する指標となる画質調整値を算出する工程と、（ｆ）工程（ｅ）で算出した画質調整値に基づいて、映像コンテンツの画質を調整する工程とを備える。
【００１１】
また、本発明による映像表示プログラムは、コンピュータを映像表示装置として機能させるための映像表示プログラムであって、（ａ）ユーザの生体リズムを示す生体リズム情報を取得する手順と、（ｂ）手順（ａ）で取得した生体リズム情報を解析する手順と、（ｃ）映像コンテンツの色情報を取得する手順と、（ｄ）手順（ｃ）で取得した色情報を解析する手順と、（ｅ）手順（ｂ）で解析した生体リズム情報の解析結果と、手順（ｄ）で解析した色情報の解析結果とに基づいて、映像コンテンツの画質を調整する指標となる画質調整値を算出する手順と、（ｆ）手順（ｅ）で算出した画質調整値に基づいて、映像コンテンツの画質を調整する手順とをコンピュータに実行させる。
【発明の効果】
【００１２】
本発明によると、映像表示装置は、ユーザの生体リズムを示す生体リズム情報を取得する生体リズム情報取得部と、生体リズム情報取得部が取得した生体リズム情報を解析する生体リズム情報解析部と、映像コンテンツの色情報を取得する色情報取得部と、色情報取得部が取得した色情報を解析する色情報解析部と、生体リズム情報解析部が解析した生体リズム情報の解析結果と、色情報解析部が解析した色情報の解析結果とに基づいて、映像コンテンツの画質を調整する指標となる画質調整値を算出する画質調整値算出部と、画質調整値算出部が算出した画質調整値に基づいて、映像コンテンツの画質を調整する画質調整部とを備えるため、ブルーライトがユーザの生体リズムに与える影響を低減し、映像コンテンツの表示品位が不要に低下することを防ぐことが可能となる。
【００１３】
また、映像表示方法は、（ａ）ユーザの生体リズムを示す生体リズム情報を取得する工程と、（ｂ）工程（ａ）で取得した生体リズム情報を解析する工程と、（ｃ）映像コンテンツの色情報を取得する工程と、（ｄ）工程（ｃ）で取得した色情報を解析する工程と、（ｅ）工程（ｂ）で解析した生体リズム情報の解析結果と、工程（ｄ）で解析した色情報の解析結果とに基づいて、映像コンテンツの画質を調整する指標となる画質調整値を算出する工程と、（ｆ）工程（ｅ）で算出した画質調整値に基づいて、映像コンテンツの画質を調整する工程とを備えるため、ブルーライトがユーザの生体リズムに与える影響を低減し、映像コンテンツの表示品位が不要に低下することを防ぐことが可能となる。
【００１４】
また、映像表示プログラムは、コンピュータを映像表示装置として機能させるための映像表示プログラムであって、（ａ）ユーザの生体リズムを示す生体リズム情報を取得する手順と、（ｂ）手順（ａ）で取得した生体リズム情報を解析する手順と、（ｃ）映像コンテンツの色情報を取得する手順と、（ｄ）手順（ｃ）で取得した色情報を解析する手順と、（ｅ）手順（ｂ）で解析した生体リズム情報の解析結果と、手順（ｄ）で解析した色情報の解析結果とに基づいて、映像コンテンツの画質を調整する指標となる画質調整値を算出する手順と、（ｆ）手順（ｅ）で算出した画質調整値に基づいて、映像コンテンツの画質を調整する手順とをコンピュータに実行させるため、ブルーライトがユーザの生体リズムに与える影響を低減し、映像コンテンツの表示品位が不要に低下することを防ぐことが可能となる。
【図面の簡単な説明】
【００１５】
【図１】本発明の実施の形態による映像表示装置のハードウェア構成の一例を示すブロック図である。
【図２】本発明の実施の形態による映像表示装置および携帯型情報処理装置の主要な機能の構成の一例を示すブロック図である。
【図３】本発明の実施の形態による映像表示装置の全体的な動作の一例を示すフローチャートである。
【図４】本発明の実施の形態による携帯型情報処理装置の動作の一例を示すフローチャートである。
【図５】図４の動作を説明するための図である。
【図６】本発明の実施の形態による映像表示装置の動作の一例を示すフローチャートである。
【図７】図６の動作を説明するための図である。
【図８】本発明の実施の形態による映像表示装置の動作の一例を示すフローチャートである。
【図９】本発明の実施の形態による映像表示装置の動作の一例を示すフローチャートである。
【図１０】図９の動作を説明するための図である。
【図１１】本発明の実施の形態による映像表示装置の動作の一例を示すフローチャートである。
【発明を実施するための形態】
【００１６】
本発明の実施の形態について、図面に基づいて以下に説明する。
【００１７】
＜実施の形態＞
＜構成＞
図１は、本発明の実施の形態による映像表示装置１のハードウェア構成の一例を示すブロック図である。
【００１８】
映像表示装置１は、受信部２と、復号部３と、映像処理部４と、表示部５と、通信部６と、記憶部７と、制御部８とを備えている。受信部２はアンテナ１０に接続されている。通信部６は、携帯型情報処理装置１１と通信可能に接続されている。受信部２、復号部３、映像処理部４、表示部５、通信部６、記憶部７、および制御部８は、共通バス９に接続されており、共通バス９を介して相互に制御または情報の授受を行う。
【００１９】
受信部２は、アンテナ１０が受信した放送電波から、任意のテレビジョン放送を選局して受信する。復号部３は、受信部２が受信した放送データをデコードする。映像処理部４は、復号部３でデコードされた映像データおよび音声データに対して、表示部５に表示するための処理を行う。表示部５は、映像処理部４で処理された映像を表示する。
【００２０】
通信部６は、外部の携帯型情報処理装置１１と無線または有線で相互に通信を行う。ここで、無線で通信を行う方法としては、例えば、小電力近距離無線通信を用いる方法が挙げられる。有線で通信を行う方法としては、例えば、ローカルエリアネットワークを用いる方法がある。携帯型情報処理装置１１としては、例えば、スマートフォンが挙げられる。
【００２１】
記憶部７は、制御プログラム、各種初期データ、および各種設定データなどを記憶する不揮発性メモリと、データ処理のための一時記憶メモリとを有している。制御部８は、記憶部７に記憶されている制御プログラムに従って、映像表示装置１全体の動作を制御する。制御部８としては、例えば、ＣＰＵ（Central Processing Unit）またはＡＳＩＣ（Application Specific Integrated Circuit）などが挙げられる。
【００２２】
図２は、映像表示装置１および携帯型情報処理装置１１の主要な機能の構成の一例を示すブロック図である。なお、図２において、受信部２および復号部３の図示を省略している。
【００２３】
携帯型情報処理装置１１は、睡眠情報取得部１１１と、睡眠情報記憶部１１２とを有している。睡眠情報取得部１１１は、ユーザの生体リズムを示す生体リズム情報を取得する機能を有するアプリケーションソフトであり、携帯型情報処理装置１１に予めインストールされている。生体リズム情報は、ユーザの睡眠開始時刻および睡眠時間など、ユーザの睡眠に関する睡眠情報を含んでいる。以下、本実施の形態では、生体リズム情報は睡眠情報であるものとして説明する。睡眠情報記憶部１１２は、睡眠情報取得部１１１が取得した睡眠情報を記憶する。睡眠情報記憶部１１２は、例えば、内部フラッシュメモリである。
【００２４】
表示部５は、映像表示部５１と、表示駆動部５２とを有している。映像表示部５１は、例えば、液晶表示パネルである。表示駆動部５２は、映像表示部５１を駆動する。
【００２５】
映像処理部４は、色情報取得部４１と、画質調整部４２とを有している。色情報取得部４１は、映像表示部５１に表示する映像コンテンツの色情報を取得する。画質調整部４２は、後述する画質調整値算出部８３が算出した画質調整値に基づいて、映像表示部５１に表示する映像コンテンツにおけるブルーライトの放出量の調整、すなわち映像コンテンツの画質調整を行う。
【００２６】
制御部８は、色情報解析部８１と、生体リズム情報解析部８２と、画質調整値算出部８３とを有している。色情報解析部８１は、制御プログラムに従って、色情報取得部４１が取得した映像コンテンツの色情報を解析する。生体リズム情報解析部８２は、制御プログラムに従って、通信部６が携帯型情報処理装置１１から取得した睡眠情報を解析する。画質調整値算出部８３は、制御プログラムに従って、映像コンテンツの色情報と睡眠情報とに基づいて、映像表示部５１に表示する映像コンテンツの画質を調整する指標、具体的には映像コンテンツにおけるブルーライトの放出量を調整する指標となる画質調整値を算出する。
【００２７】
記憶部７は、色情報記憶領域７１と、色情報解析結果記憶領域７２と、睡眠情報記憶領域７３と、睡眠情報解析結果記憶領域７４とを有している。色情報記憶領域７１は、色情報取得部４１が取得した色情報を記憶する領域である。色情報解析結果記憶領域７２は、色情報解析部８１が色情報を解析した結果を記憶する領域である。睡眠情報記憶領域７３は、通信部６が携帯型情報処理装置１１から取得した睡眠情報を記憶する領域である。睡眠情報解析結果記憶領域７４は、生体リズム情報解析部８２が睡眠情報を解析した結果を記憶する領域である。
【００２８】
通信部６は、携帯型情報処理装置１１から、ユーザの生体リズム情報である睡眠情報を取得する。すなわち、通信部６は、ユーザの生体リズムを示す生体リズム情報を取得する生体リズム情報取得部の機能を有している。
【００２９】
＜動作＞
図３は、映像表示装置１の全体的な動作の一例を示すフローチャートであり、特に主要な動作を示している。
【００３０】
ステップＳ１０１において、通信部６は、携帯型情報処理装置１１から睡眠情報を取得する。ステップＳ１０２において、生体リズム情報解析部８２は、通信部６が取得した睡眠情報に含まれる睡眠開始時刻に基づいて平均睡眠開始時刻を算出する。
【００３１】
ステップＳ１０３において、色情報取得部４１は、映像コンテンツの色情報を取得する。色情報解析部８１は、色情報取得部４１が取得した色情報に基づいて、映像コンテンツの色の傾向を示すコンテンツ色傾向値を算出する。
【００３２】
ステップＳ１０４において、画質調整値算出部８３は、生体リズム情報解析部８２が算出した平均睡眠開始時刻、色情報解析部８１が算出したコンテンツ色傾向値、および現在時刻に基づいて画質調整値を算出する。
【００３３】
ステップＳ１０５において、画質調整部４２は、画質調整値算出部８３が算出した画質調整値に基づいて映像コンテンツの画質調整を行う。
【００３４】
上記より、本実施の形態による映像表示プログラムは、コンピュータを映像表示装置として機能させるための映像表示プログラムであって、（ａ）ユーザの生体リズムを示す生体リズム情報を取得する手順と、（ｂ）手順（ａ）で取得した生体リズム情報を解析する手順と、（ｃ）映像コンテンツの色情報を取得する手順と、（ｄ）手順（ｃ）で取得した色情報を解析する手順と、（ｅ）手順（ｂ）で解析した生体リズム情報の解析結果と、手順（ｄ）で解析した色情報の解析結果とに基づいて、映像コンテンツの画質を調整する指標となる画質調整値を算出する手順と、（ｆ）手順（ｅ）で算出した画質調整値に基づいて、映像コンテンツの画質を調整する手順とをコンピュータに実行させることによって実現される。
【００３５】
以下では、図３の各ステップにおける詳細な動作について説明する。
【００３６】
＜携帯型情報処理装置１１がユーザの睡眠情報を取得する動作＞
図４は、携帯型情報処理装置１１の動作の一例を示すフローチャートであり、携帯型情報処理装置１１がユーザの睡眠情報を取得する動作を示している。図５は、図４の動作を説明するための図である。なお、図４の動作は、図３のステップＳ１０１の前段階の処理に対応している。
【００３７】
ステップＳ２０１において、睡眠情報取得部１１１は、ユーザ１２の睡眠情報をリアルタイムに取得する。ステップＳ２０２において、睡眠情報取得部１１１は、取得した睡眠情報を睡眠情報記憶部１１２に記憶する。ここで、睡眠情報は、睡眠の開始時刻、起床時刻、睡眠時間、就寝時刻、眠りの深さ、寝返りの回数、寝室の温度、寝室の湿度、就寝中におけるユーザ１２の胸の動きなどを含む。このような睡眠情報は、ユーザ１２の生体リズムを測定する測定装置から取得する。測定装置としては、例えば、ベッドサイドに設置された測定装置、マットとして敷かれた測定装置、またはユーザ１２の腕に装着された腕時計型の測定装置などが挙げられる。
【００３８】
ステップＳ２０３において、睡眠情報取得部１１１は、睡眠情報の取得条件を満足したか否かを判断する。ここで、睡眠情報の取得条件としては、例えば、予め定められた時間が経過したかという条件、または予め定められた回数だけ睡眠情報を取得したかという条件などが挙げられる。予め定められた時間とは、睡眠情報の取得を開始した時刻から終了した時刻までの時間のことをいう。予め定められた回数とは、予め定められた時間ごとに睡眠情報を取得する回数の合計のことをいう。睡眠情報の取得条件を満足した場合は、ステップＳ２０４に移行する。一方、睡眠情報の取得条件を満足していない場合は、ステップＳ２０１に戻る。
【００３９】
ステップＳ２０４において、睡眠情報取得部１１１は、睡眠情報の取得が完了した旨を映像表示装置１に通知する。
【００４０】
ステップＳ２０５において、睡眠情報取得部１１１は、予め定められた条件に基づいて、睡眠情報の取得処理を終了するか否かを判断する。睡眠情報の取得処理を終了する場合は、図４の動作を終了する。一方、睡眠情報の取得処理を終了しない場合は、ステップＳ２０１に戻る。
【００４１】
＜映像表示装置１が携帯型情報処理装置１１から睡眠情報を取得する動作＞
図６は、映像表示装置の動作の一例を示すフローチャートであり、携帯型情報処理装置１１から睡眠情報を取得する動作を示している。図７は、図６の動作を説明するための図である。なお、図６の動作は、図３のステップＳ１０１の処理に対応している。
【００４２】
ステップＳ３０１において、制御部８は、携帯型情報処理装置１１から睡眠情報の取得が完了した旨の通知を通信部６が受けているか否かを判断する。携帯型情報処理装置１１から睡眠情報の取得が完了した旨の通知を通信部６が受けている場合は、ステップＳ３０４に移行する。一方、携帯型情報処理装置１１から睡眠情報の取得が完了した旨の通知を通信部６が受けていない場合は、ステップＳ３０２に移行する。
【００４３】
ステップＳ３０２において、制御部８は、通信部６を介して、携帯型情報処理装置１１に新たな睡眠情報の有無を問い合わせる。具体的には、制御部８は、通信部６を介して、予め定められた時刻、または予め定められた時間間隔で携帯型情報処理装置１１にポーリングを行うことによって新たな睡眠情報の有無を問い合わせる。ポーリングは、小電力近距離無線通信または有線ネットワーク経由で行う。ここで、新たな睡眠情報とは、携帯型情報処理装置１１が取得した睡眠情報であって、映像表示装置１の記憶部７が記憶していない睡眠情報のことである。
【００４４】
ステップＳ３０３において、制御部８は、携帯型情報処理装置１１に新たな睡眠情報が記憶されているか否かを判断する。具体的には、制御部８は、通信部６が携帯型情報処理装置１１から受信した、上記の問い合わせに対する応答に基づいて、携帯型情報処理装置１１に新たな睡眠情報が記憶されているか否かを判断する。通信部６が携帯型情報処理装置１１から受信した応答には、携帯型情報処理装置１１に新たな睡眠情報が記憶されているか否かの情報が含まれている。携帯型情報処理装置１１に新たな睡眠情報が記憶されている場合は、ステップＳ３０４に移行する。一方、携帯型情報処理装置１１に新たな睡眠情報が記憶されていない場合は、ステップＳ３０１に戻る。
【００４５】
ステップＳ３０４において、制御部８は、通信部６を介して、携帯型情報処理装置１１から新たな睡眠情報を取得する。そして、制御部８は、取得した新たな睡眠情報を記憶部７の睡眠情報記憶領域７３に記憶する。記憶部７の睡眠情報記憶領域７３には、携帯型情報処理装置１１から取得した睡眠情報が蓄積されている。
【００４６】
ステップＳ３０５において、制御部８は、予め定められた条件に基づいて、睡眠情報の取得処理を終了するか否かを判断する。睡眠情報の取得処理を終了する場合は、図６の動作を終了する。一方、睡眠情報の取得処理を終了しない場合は、ステップＳ３０１に戻る。
【００４７】
＜平均睡眠開始時刻を算出する動作＞
図８は、映像表示装置の動作の一例を示すフローチャートであり、睡眠情報に基づいて平均睡眠開始時刻を算出する動作を示している。なお、図８の動作は、図３のステップＳ１０２の処理に対応している。
【００４８】
ステップＳ４０１において、生体リズム情報解析部８２は、記憶部７の睡眠情報記憶領域７３から、当該睡眠情報記憶領域７３に蓄積された睡眠情報を読み込む。ステップＳ４０２において、生体リズム情報解析部８２は、読み込んだ各睡眠情報に含まれている睡眠開始時刻を参照する。
【００４９】
ステップＳ４０３において、生体リズム情報解析部８２は、参照した各睡眠開始時刻に基づいて平均睡眠開始時刻を算出する。ステップＳ４０４において、生体リズム情報解析部８２は、算出した平均睡眠開始時刻を記憶部７の睡眠情報解析結果記憶領域７４に記憶する。
【００５０】
上記で説明した図８の動作は、図６のステップＳ３０４の処理を行われて記憶部７の睡眠情報記憶領域７３に睡眠情報が記憶されたときに行う。
【００５１】
＜コンテンツ色傾向値を算出する動作＞
図９は、映像表示装置の動作の一例を示すフローチャートであり、映像コンテンツの色情報に基づいてコンテンツ色傾向値を算出する動作を示している。図１０は、図９の動作を説明するための図である。なお、図９の動作は、図３のステップＳ１０３に対応している。
【００５２】
ステップＳ５０１において、色情報取得部４１は、映像コンテンツの色情報を取得する。具体的には、色情報取得部４１は、復号部３でデコードされた映像データに含まれている色情報を取得する。そして、色情報取得部４１は、取得した色情報を記憶部７の色情報記憶領域７１に記憶する。ここで、映像コンテンツの色情報とは、映像表示部５１の全表示領域におけるＲＧＢサブピクセルごとの出力値を示している。ＲＧＢサブピクセルとは、サブピクセルＲ、サブピクセルＧ、およびサブピクセルＢの総称である。Ｒは赤色、Ｇは緑色、Ｂは青色を示している。ＲＧＢサブピクセルごとの出力値は、０〜２３５の数値で示される。
【００５３】
ステップＳ５０２において、色情報取得部４１は、色情報の取得が完了したか、すなわちＲＧＢサブピクセルごとの出力値を記憶部７の色情報記憶領域７１に記憶したか否かを判断する。色情報の取得が完了した場合は、ステップＳ５０３に移行する。一方、色情報の取得が完了していない場合は、ステップＳ５０１に戻る。
【００５４】
ステップＳ５０３において、色情報解析部８１は、記憶部７の色情報記憶領域７１から色情報を読み込む。ステップＳ５０４において、色情報解析部８１は、色情報に基づいて色情報平均値を算出する。ステップＳ５０５において、色情報解析部８１は、算出した色情報平均値を記憶部７の色情報解析結果記憶領域７２に記憶する。
【００５５】
ここで、ステップＳ５０４およびステップＳ５０５の処理について図１０を用いて説明する。色情報平均値とは、ある時点における映像表示部５１の全表示領域のＲＧＢの平均値のことをいう。例えば、映像コンテンツである動画コンテンツ中の時刻ｔ（１）における一枚の画像のＲ，Ｇ，Ｂが、（０，０，０）、（２０，２０，２０）、（４０，４０，４０）、および（６０，６０，６０）の４ピクセルである場合、この画像の色情報平均値Ｒ，Ｇ，Ｂは、（Ｒ，Ｇ，Ｂ）＝（（０＋２０＋４０＋６０）／４，（０＋２０＋４０＋６０）／４，（０＋２０＋４０＋６０）／４）＝（３０，３０，３０）となる。算出された色情報平均値は、記憶部７の色情報解析結果記憶領域７２に記憶される。
【００５６】
また、次の時刻ｔ（２）における画像のＲ，Ｇ，Ｂが、（２，３０，７０）、（２，１０，７０）、（４，５０，７０）、および（０，６，７０）の４ピクセルである場合、この画像の色情報平均値は、１つ前の画像の色情報平均値を含めた値となる。図１０の例では、時刻ｔ（１）における色情報に基づいて算出した色情報平均値と、時刻ｔ（２）における色情報に基づいて算出した色情報平均値との平均値が、時刻ｔ（２）における最終的な色情報平均値となる。すなわち、時刻ｔ（２）における色情報平均値Ｒ，Ｇ，Ｂは、（Ｒ，Ｇ，Ｂ）＝（１６，２７，５０）となる。算出された色情報平均値は、記憶部７の色情報解析結果記憶領域７２に記憶される。このとき、記憶部７の色情報解析結果記憶領域７２では、時刻ｔ（１）において算出された色情報平均値が、時刻ｔ（２）において算出された色情報平均値に上書きされる。
【００５７】
上記の手順で、時刻ｔ（ｎ）となるまで色情報平均値を算出する。なお、時刻ｔ（１）から時刻ｔ（ｎ）までの時間は、予め定められた値でもよく、ユーザが任意に設定してもよい。
【００５８】
図９に戻り、ステップＳ５０６において、色情報解析部８１は、予め定められた時間が経過したか否かを判断する。図１０の例では、色情報解析部８１は、時刻ｔ（ｎ）であるか否かを判断する。予め定められた時間が経過した場合は、ステップＳ５０６に移行する。一方、予め定められた時間が経過していない場合は、ステップＳ５０１に戻る。
【００５９】
ステップＳ５０７において、色情報解析部８１は、最後に算出した色情報平均値をコンテンツ色傾向値として記憶部７の色情報解析結果記憶領域７２に記憶する。図１０の例では、時刻ｔ（ｎ）において算出された色情報平均値が、コンテンツ色傾向値として記憶部７の色情報解析結果記憶領域７２に記憶される。
【００６０】
ステップＳ５０８において、色情報解析部８１は、予め定められた条件に基づいて、コンテンツ色傾向値の算出処理を終了するか否かを判断する。コンテンツ色傾向値の算出処理を終了する場合は、図９の動作を終了する。一方、コンテンツ色傾向値の算出処理を終了しない場合は、ステップＳ５０１に戻る。この場合、記憶部７の色情報解析結果記憶領域７２に記憶している色情報平均値は削除される。
【００６１】
＜画質調整値を算出し、当該画質調整値に基づいて画質調整を行う動作＞
図１１は、映像表示装置の動作の一例を示すフローチャートであり、画質調整値を算出し、当該画質調整値に基づいて画質調整を行う動作を示している。なお、図１１の動作は、図３のステップＳ１０４およびステップＳ１０５に対応している。
【００６２】
ステップＳ６０１において、画質調整値算出部８３は、ユーザがテレビを視聴しているか否かを判断する。ユーザがテレビを視聴している場合は、ステップＳ６０２に移行する。一方、ユーザがテレビを視聴していない場合は、図１１の動作を終了する。
【００６３】
ステップＳ６０２において、画質調整値算出部８３は、ブルーライト対策完了時刻を算出する。具体的には、画質調整値算出部８３は、記憶部７の睡眠情報解析結果記憶領域７４に記憶されている平均睡眠開始時刻に基づいてブルーライト対策完了時刻を算出する。ここで、ブルーライト対策完了時刻は、睡眠開始時刻の２時間前にブルーライトカット対策を行えば、ブルーライトが人体に与える影響を軽減させることができるという周知の情報を考慮して、平均睡眠開始時刻の２時間前とする。例えば、平均睡眠開始時刻が２３時である場合、ブルーライト対策完了時刻は２１時であるものとする。なお、本実施の形態では、平均睡眠開始時刻の２時間前をブルーライト対策完了時刻としているが、これに限るものではない。例えば、平均睡眠開始時刻の１時間半前をブルーライト対策完了時刻としてもよく、ユーザが任意に設定してもよい。
【００６４】
ステップＳ６０３において、画質調整値算出部８３は、現在時刻が平均睡眠開始時刻以降であるか否かを判断する。現在時刻が平均睡眠開始時刻以降である場合は、ステップＳ６０４に移行する。一方、現在時刻が平均睡眠開始時刻以降でない場合は、ステップＳ６０６に移行する。
【００６５】
ステップＳ６０４において、画質調整値算出部８３は、予め定めたサブピクセルＢ出力値を画質調整値とする。ここで、サブピクセルＢとは、青色のサブピクセルのことをいう。予め定められたサブピクセルＢ出力値とは、ブルーライト対策が十分である、すなわちブルーライトがユーザの生体リズムに与える影響を低減したサブピクセルＢの出力値のことをいう。
【００６６】
ステップＳ６０５において、画質調整部４２は、ステップＳ６０４で画質調整値算出部８３が算出した画質調整値に基づいて、映像表示部５１に表示する映像コンテンツにおけるブルーライトの放出量の調整、すなわち映像コンテンツの画質調整を行う。これにより、サブピクセルＢの出力値をブルーライト対策が十分とされる出力値以下とすることに、早急に対応することができる。
【００６７】
ステップＳ６０６において、画質調整値算出部８３は、記憶部７の睡眠情報解析結果記憶領域７４に記憶されているコンテンツ色傾向値が、予め定めた許容限界サブピクセルＢ出力値以上か否かを判断する。ここで、許容限界サブピクセルＢ出力値とは、ブルーライト対策を行う際に超えてはならないサブピクセルＢの出力値のことをいう。許容限界サブピクセルＢ出力値は、対象とする映像コンテンツに対して早急なブルーライト対策が必要であるか否かを判別するために定められた値である。コンテンツ色傾向値が許容限界サブピクセルＢ出力値以上である場合は、ステップＳ６０７に移行する。一方、コンテンツ色傾向値が許容限界サブピクセルＢ出力値よりも小さい場合は、ステップＳ６０８に移行する。
【００６８】
ステップＳ６０７において、画質調整値算出部８３は、許容限界サブピクセルＢ出力値を画質調整値とする。その後、ステップＳ６０９において、画質調整部４２は、ステップＳ６０７で画質調整値算出部８３が算出した画質調整値に基づいて、映像表示部５１に表示する映像コンテンツにおけるブルーライトの放出量の調整、すなわち映像コンテンツの画質調整を行う。これにより、サブピクセルＢの出力値を、ブルーライト対策を行う際に許容できる値にまで下げることができる。
【００６９】
ステップＳ６０８において、画質調整値算出部８３は、（現在の上限値−予め定められたサブピクセルＢ出力値）／（ブルーライト対策完了時刻−現在時刻）で算出した値を画質調整値とする。ここで、現在の上限値とは、現在時刻において映像コンテンツの色情報に含まれる各サブピクセルＢの出力値のうち最も高いサブピクセルＢの出力値のことをいう。また、予め定められたサブピクセルＢ出力値は、上記のステップＳ６０４で説明したブルーライト対策が十分である、すなわちブルーライトがユーザの生体リズムに与える影響を低減したサブピクセルＢの出力値である。その後、ステップＳ６０９において、画質調整部４２は、ステップＳ６０８で画質調整値算出部８３が算出した画質調整値に基づいて、映像表示部５１に表示する映像コンテンツにおけるブルーライトの放出量の調整、すなわち映像コンテンツの画質調整を行う。
【００７０】
ステップＳ６１０において、画質調整値算出部８３は、画質調整値が予め定められたサブピクセルＢ出力値よりも小さいか否かを判断する。予め定められたサブピクセルＢ出力値は、上記のステップＳ６０４で説明したブルーライト対策が十分である、すなわちブルーライトがユーザの生体リズムに与える影響を低減したサブピクセルＢの出力値である。画質調整値が予め定められたサブピクセルＢ出力値よりも小さい場合は、図１１の動作を終了する。一方、画質調整値が予め定められたサブピクセルＢ出力値以上である場合は、ステップＳ６０１に戻る。
【００７１】
＜効果＞
以上のことから、本実施の形態によれば、画質調整部４２は、画質調整値算出部８３が算出した画質調整値に基づいて映像コンテンツの画質調整を行う。従って、ユーザの生体リズムに適したブルーライトを放出するため、ブルーライトがユーザの生体リズムに与える影響を低減することができる。また、映像コンテンツの表示品位が不要に低下することを防ぐことができる。
【００７２】
近年、社会の変化に伴って不眠に悩む人が増えてきており、このような人々はうつ病になりやすいとされている。うつ病はその人の人生を大きく狂わせる可能性があるため、不眠の原因が必須である。近年の研究により、テレビまたはスマートフォンといった映像表示装置が不眠の原因の１つであることが明らかになっている。うつ病になる人を少しでも減らすために、早期に何らかの対策をとることは重要であり、本実施の形態はその解決の足掛かりになると考える。
【００７３】
本実施の形態によれば、ブルーライトの放出を制限しているため、ブルーライトがユーザの睡眠に与える影響を軽減するだけでなく、ユーザの目の疲れを軽減することができる。また、本実施の形態によれば、ブルーライトの放出量を自動的に調整しているため、ブルーライトの放出量の制限を継続的に行うことができる。
【００７４】
なお、本発明は、その発明の範囲内において、実施の形態を適宜、変形、省略することが可能である。
【符号の説明】
【００７５】
１  映像表示装置、２  受信部、３  復号部、４  映像処理部、５  表示部、６  通信部、７  記憶部、８  制御部、９  共通バス、１０  アンテナ、１１  携帯型情報処理装置、１２  ユーザ、４１  色情報取得部、４２  画質調整部、５１  映像表示部、５２  表示駆動部、７１  色情報記憶領域、７２  色情報解析結果記憶領域、７３  睡眠情報記憶領域、７４  睡眠情報解析結果記憶領域、８１  色情報解析部、８２  生体リズム情報解析部、８３  画質調整値算出部、１１１  睡眠情報取得部、１１２  睡眠情報記憶部。
【図１】
2019114931.tif 000003
【図２】
2019114931.tif 000004
【図３】
2019114931.tif 000005
【図４】
2019114931.tif 000006
【図５】
2019114931.tif 000007
【図６】
2019114931.tif 000008
【図７】
2019114931.tif 000009
【図８】
2019114931.tif 000010
【図９】
2019114931.tif 000011
【図１０】
2019114931.tif 000012
【図１１】
2019114931.tif 000013